(57)【要約】【課題】互いに接合可能な接合係合部を有する複数個のブロックを有し、複数個のブロックの接合係合部同士を互いに接合し、ベッド部のベッド面を拡張する補助テーブルを構成することができるミシンを提供する。【解決手段】ミシンは、ベッド面１６をもつベッド部１とアーム部２とをもつミシン本体３と、針２０を保持する針保持部２１とを具備する。互いに接合可能な接合係合部６を有するブロック５が複数個設けられている。複数個のブロック５の接合係合部６同士を互いに接合することにより、複数のブロック５は、ベッド部１に連設されベッド面１６を拡張する補助テーブル７を構成する。補助テーブル７の形状は、複数個のブロック５の接合を変更することにより変更可能とされている。ブロック５は小物入れとしても使用できる。【選択図】図３
2005013329.tif 000002
【特許請求の範囲】
【請求項１】
ベッド面をもつベッド部と前記ベッド部から上方に延設されたアーム部とをもつミシン本体と、前記ミシン本体の前記アーム部に設けられ針を保持する針保持部とを具備するミシンにおいて、
互いに接合可能な接合係合部を有するブロックが複数個設けられており、
複数個の前記ブロックの前記接合係合部同士を互いに接合することにより、複数の前記ブロックは、前記ベッド部に連設され前記ベッド面を拡張させる補助テーブルを構成し、且つ、
前記補助テーブルの形状は、複数個の前記ブロックの接合を変更することにより変更可能とされていることを特徴とするミシン。
【請求項２】
ベッド面をもつベッド部と前記ベッド部から上方に延設されたアーム部とをもつミシン本体と、前記ミシン本体の前記アーム部に設けられ針を保持する針保持部とを具備するミシンにおいて、
互いに接合可能な接合係合部を有するブロックが複数個設けられており、
複数個の前記ブロックの前記接合係合部同士を互いに接合することにより、複数の前記ブロックは、前記ベッド部に連設され前記ベッド面を拡張させる補助テーブルを構成し、且つ、
複数の前記ブロックのうち少なくとも１個は、小物類を収容できる収容室を有することを特徴とするミシン。
【請求項３】
ベッド面をもつベッド部と前記ベッド部から上方に延設されたアーム部とをもつミシン本体と、前記ミシン本体の前記アーム部に設けられ針を保持する針保持部とを具備するミシンにおいて、
互いに接合可能な接合係合部を有するブロックが複数個設けられており、
複数個の前記ブロックの接合係合部同士を互いに接合することにより、複数の前記ブロックは、前記ベッド部に連設され前記ベッド面を拡張させる補助テーブルを構成する形態と、前記ベッド部に連設され前記針保持部を覆うミシンカバーを構成する形態とに切替可能とされていることを特徴とするミシン。
【請求項４】
請求項１〜請求項３のうちのいずれか一項において、各前記ブロックは、収容室をもつ容器と、前記容器に脱着可能に被着される蓋部材とで形成されていることを特徴とするミシン。
【請求項５】
請求項１〜請求項４のうちのいずれか一項において、前記ミシン本体は前記ブロックの前記接合係合部に脱着可能に係合する第２接合係合部を有することを特徴とするミシン。
【請求項６】
請求項１〜請求項５のうちのいずれか一項において、各前記ブロックの前記接合係合部は凹部及び凸部で形成されており、隣設する前記ブロック同士において前記凹部と前記凸部とが係合することにより、隣設する前記ブロック同士は脱着可能に接合可能とされていることを特徴とするミシン。
【発明の詳細な説明】
【０００１】
【発明の属する技術分野】
本発明はベッド面をもつベッド部をもつミシンに関し、ベッド部のベッド面を拡張させる補助テーブル機能を有するミシンに関する。
【０００２】
【従来の技術】
特許文献１には、ベッド部とアーム部とを備えたミシン本体と、逆Ｌ字形のミシンカバーとを備え、ミシン本体から外した逆Ｌ字形のミシンカバーを寝かせてベッド部に連設することにより、ベッド面を拡張させる補助テーブルとしてミシンカバーを用いるミシンが開示されている。更に、特許文献２にも、ミシン本体と、ミシン本体の針保持部付近を覆う筒形状をなすミシンカバーとを備え、ミシン本体から外したミシンカバーを寝かせてベッド部に連設することにより、ベッド面を拡張させる補助テーブルとしてミシンカバーを用いるミシンが開示されている。
【０００３】
特許文献３には、ベッド部がフリーアーム状態にされるとき、補助テーブルをミシン本体から外し、補助テーブルの貫通孔に支持棒を挿通させることにより、ミシン本体のアーム部に補助テーブルを固定し、補助テーブルの紛失を防止するミシンが開示されている。更にまた、特許文献４，特許文献５には、ミシンカバー本体と分割カバーとで形成したミシンカバーをミシン本体とは別に設け、刺繍枠を左右方向に駆動する左右駆動機構をカバー本体に組み込み、刺繍枠を前後方向に駆動する前後駆動機構を分割カバーに組み込み、更に、カバー本体と分割カバーとをミシン本体のベッド部に連設させて補助テーブルとして用いるミシンが開示されている。
【０００４】
【特許文献１】特開平６−３４３７８７号公報
【特許文献２】特開２００２−２８３９１号公報
【特許文献３】特開平６−７５７２号公報
【特許文献４】特開平１０−２６３２４９号公報
【特許文献５】特開平１０−２６３２５０号公報
【０００５】
【発明が解決しようとする課題】
上記した公報に係るミシンによれば、ベッド部のベッド面を拡張させる補助テーブルを形成することができる。本発明は上記した補助テーブルを形成できる機能をもつミシンを更に技術的に進めたものであり、互いに接合可能な接合係合部を有する複数個のブロックを有することを共通の主要部構成とし、複数個のブロックの接合係合部同士を互いに接合することにより、ベッド部のベッド面を拡張させる補助テーブルを構成することができるミシンを提供することを共通の課題とするにある。
【０００６】
【課題を解決するための手段】
（１）第１の様相の本発明に係るミシンは、ベッド面をもつベッド部とベッド部から上方に延設されたアーム部とをもつミシン本体と、ミシン本体のアーム部に設けられ針を保持する針保持部とを具備するミシンにおいて、
互いに接合可能な接合係合部を有するブロックが複数個設けられており、
複数個のブロックの接合係合部同士を互いに接合することにより、複数のブロックは、ベッド部に連設されベッド面を拡張させる補助テーブルを構成し、且つ、補助テーブルの形状は、複数個のブロックの接合を変更することにより変更可能とされていることを特徴とするものである。
【０００７】
第１の様相の本発明に係るミシンによれば、複数個のブロックの接合係合部同士を互いに接合することにより、複数のブロックは、ベッド部に連設されベッド面を拡張させる補助テーブルを構成する。更に、補助テーブルの形状は、複数個のブロックの接合を変更することにより複数に変更可能とされている。従って、縫製物のサイズや形態、縫製の都合等に適応するように、複数個のブロックの接合を変更することにより、補助テーブルの形状を変更することができる。
【０００８】
（２）第２の様相の本発明に係るミシンは、ベッド面をもつベッド部とベッド部から上方に延設されたアーム部とをもつミシン本体と、ミシン本体のアーム部に設けられ針を保持する針保持部とを具備するミシンにおいて、
互いに接合可能な接合係合部を有するブロックが複数個設けられており、
複数個のブロックの接合係合部同士を互いに接合することにより、複数のブロックは、ベッド部に連設されベッド面を拡張させる補助テーブルを構成し、且つ、
複数のブロックのうち少なくとも１個は、小物類を収容できる収容室を有することを特徴とするものである。
【０００９】
第２の様相の本発明に係るミシンによれば、複数個のブロックの接合係合部同士を互いに接合することにより、複数のブロックは、ベッド部に連設されベッド面を拡張させる補助テーブルを構成する。複数のブロックのうち少なくとも１個は、小物類を収容できる収容室を有するため、糸や針等に代表される裁縫用具等を収容する小物入れとして機能することができる。裁縫の際には、白糸、赤糸、黒糸等のように色別の多数の糸が使用され、様々な針も使用される。更に針山、ボタン等の多数の小物類が用いられるため、小物入れが用意されていることは便利である。複数のブロックがそれぞれ小物入れとして機能する場合には、小物入れの数が増加し、便利である。
【００１０】
（３）第３の様相の本発明に係るミシンは、ベッド面をもつベッド部とベッド部から上方に延設されたアーム部とをもつミシン本体と、ミシン本体のアーム部に設けられ針を保持する針保持部とを具備するミシンにおいて、
互いに接合可能な接合係合部を有するブロックが複数個設けられており、
複数個のブロックの接合係合部同士を互いに接合することにより、複数のブロックは、ベッド部に連設されベッド面を拡張させる補助テーブルを構成する形態と、ベッド部に連設され針保持部を覆うミシンカバーを構成する形態とに切替可能とされていることを特徴とするものである。
【００１１】
第３の様相の本発明に係るミシンによれば、ミシンの使用時には、複数個のブロックの接合係合部同士を互いに接合することにより、複数のブロックは、ベッド面を拡張させる補助テーブルを構成する。更にミシンの収容時等の不使用時には、複数個のブロックの接合係合部同士の接合を変更することにより、複数のブロックは、針保持部を覆うミシンカバーを構成する形態に切替可能とされている。ブロックで形成されたミシンカバーでミシン本体の針保持部を覆えば、針や針保持部に対する保護性が向上する。
【００１２】
【発明の実施の形態】
各様相の発明によれば、互いに接合可能な接合係合部を有するブロックが複数個設けられている。ブロックの数が多いと、ブロック同士の組み付けに時間を要する他に、コストも高くなる。ブロックの数が少ないと、補助テーブルの形状の変更性が充分に得られない。これらを考慮し、ブロックの数としては３個〜７個を例示でき、殊に、３個〜６個、３個〜４個を採用することができる。各ブロックは、収容室をもつ容器と、容器に脱着可能に被着される蓋部材とで形成されている形態を例示することができる。ブロックの収容室には、糸や針等の小物類を収容可能である。従ってブロックは小物入れとして機能することができる。また各ブロックとしては、収容室をもたない構造とすることもできる。ブロックの形状としては、基本的には箱形状等の直方体形状とすることができるが、これに限定されるものではなく、あたかも玩具ブロックの形状とすることもできる。複数個のブロックは、それぞれ同一形状または近似形状である形態を例示することができる。場合によっては、複数個のブロックをそれぞれ別の形状に異ならせても良いし、あるいは、複数個のブロックを２または３種類の別の形状に異ならせても良い。
【００１３】
各様相の発明によれば、各ブロックの接合係合部は凹部及び凸部で形成されており、隣設するブロック同士の凹部と凸部とが係合することにより、隣設するブロック同士は脱着可能に接合可能とされている形態を例示することができる。凹部としては、溝や孔を例示できる。凸部としては、溝に嵌まる突条、孔に嵌まる突起を例示できる。また、ベッド部等のミシン本体は、ブロックの接合係合部に脱着可能に係合する第２接合係合部を有する形態を例示することができる。この場合、ブロックの接合係合部とベッド部の第２接合係合部とを接合すれば、ベッド部にブロックを連設させることができる。この場合、複数個のブロックを互いに接合して組み付けることにより、ベッド部の側面側に接合される補助テーブルとしたり、ベッド部の上面側に接合されるミシンカバーとして用いるのに有利である。ミシン本体に形成される第２接合係合部としては凹部及び凸部とすることができる。この場合、一般的には、第２接合係合部の凹部はブロックの接合係合部の凸部と嵌まり、第２接合係合部の凸部はブロックの接合係合部の凹部と嵌まる。
【００１４】
【実施例】
（第１実施例）
以下、本発明の実施例を図面を参照して具体的に説明する。本実施例に係るミシンは家庭用ミシンであり、図１に示すように、水平面状をなすベッド面１６をもつベッド部１とベッド部１から上方に延設されたアーム部２とをもつミシン本体３と、アーム部２に設けられ針２０を保持する針保持部２１とを備えている。ミシン本体３にはモータや針棒腕等が内蔵されている。ベッド面１６は、針挿入孔を有する針板１５を保持する。針保持部２１は、アーム部２に内蔵されている図略の針棒腕の先端部に取り付けられており、布押さえ２２をもつ。アーム部２は、ベッド部１から縦方向に延設された縦胴部２３と、横方向に延設された横胴部２４とを有する。
【００１５】
ミシン本体３のベッド部１のサイズは、図１に示すように、基本的には、長さＬ１×幅Ｄ１×高さＨ１で規定されている。ベッド部１は、針板１５を保持する共にアーム部２をもつ第１固定ベッド部分１１と、縦胴部２３の手前（使用者側）に位置するように第１固定ベッド部分１１に繋がる第２固定ベッド部分１２と、第１固定ベッド部分１１及び第２固定ベッド部分１２に対して脱着可能に装備された可動ベッド部分１３とを有する。なお図１に示すように、第１固定ベッド部分１１、第２固定ベッド部分１２、可動ベッド部分１３の幅は基本的にはそれぞれＥ１として規定されている。
【００１６】
可動ベッド部分１３の底側には延設部１４が設けられている。延設部１４は、第１固定ベッド部分１１の下側に配置されるように、可動ベッド部分１３の底側に延設されている。可動ベッド部分１３をベッド部１から外方（図１に示す矢印Ａ１方向）に移動させれば、第１固定ベッド部分１１及び第２固定ベッド部分１２から取り外すことができる。可動ベッド部分１３を外方（矢印Ａ１方向）に移動させて取り外せば、可動ベッド部分１３の延設部１４を取り外した跡は空間となるため、ズボン等の筒状の縫製物をその空間に差し込んで、筒状の縫製物で第１固定ベッド部分１１を包囲するように縫製物を縫製するいわゆるフリーアーム構造となる。
【００１７】
図１に示すように、ベッド部１の上面及び側面には、後述するブロック５に係合可能な第２接合係合部６Ｗが形成されている。具体的には、図１に示すように、第２接合係合部６Ｗは、ベッド部１の可動ベッド部分１３の正面１３ｍの底側及び側面１３ｓの底側、第２固定ベッド部分１２の正面１２ｍの底側に水平に沿って直線状に延設されている。更に、第２接合係合部６Ｗは、可動ベッド部分１３の上面１３ｕ、第２固定ベッド部分１２の上面１２ｕにも直線状に延設されている。更にミシン本体３の背面を表す図４に示すように、第２接合係合部６Ｗは、ベッド部１の背面１ｒの底側にも水平に沿って直線状に形成されている。
【００１８】
第２接合係合部６Ｗは、後述するブロック５の凸部６２に接合可能な凹部６１Ｗと、ブロック５の凹部６１に接合可能な凸部６２Ｗとで形成されている。従って、ミシン本体３に形成されている第２接合係合部６Ｗは、ブロック５に形成した接合係合部６と嵌まりあって係合する。
【００１９】
図１に示すように、小物入れとして機能できる上面開口をもつ箱体４がミシン本体３に対して脱着可能な別体として設けられている。箱体４は、針２０を保持する針保持部２１を挿入する挿入空間４０をもち、更に、挿入空間４０の両側に、第１収容空間４１を形成する第１箱体４２と、第２収容空間４３を形成する第２箱体４４とをもつ。箱体４の挿入空間４０が針保持部２１に納まるように、箱体４がセット方向（図１に示す矢印Ａ２方向）に針保持部２１に向けて挿入されると、箱体４は、ベッド部１の第１固定ベッド部分１１とアーム部２の横胴部２４との間に位置するように、ミシン本体３のベッド部１の上側に脱着可能にセットされる。
【００２０】
本実施例によれば、図２に示すように、ブロック５（５Ａ，５Ｂ，５Ｃ，５Ｄ）が複数個（本実施例では４個）設けられている。各ブロック５は任意の組み付け形態に接合して組み付けることが可能なレイアウトフリー構造されており、複数の機能（補助テーブル機能、ミシンカバー機能、小物入れ機能）を有するものであり、硬質または比較的硬質の樹脂を基材として形成されている。各ブロック５は基本的には直方体の箱形状をなしており、横長となるように横に寝かせた状態でも、縦長となるように縦に立てた状態でも使用することができる。各ブロック５（５Ａ，５Ｂ，５Ｃ，５Ｄ）は基本的には同一形状または近似形状とされている。
【００２１】
図５〜図９はブロック５の各形態を示す。図９に示すように、各ブロック５は、収容室５０及び開口５１をもつ箱形状の容器５２と、容器５２に脱着可能に被着される箱形状の蓋部材５４とで形成されている。ブロック５の収容室５０には、糸や針等に代表される裁縫用具等の小物類を収容可能である。故に、ブロック５を構成する容器５２に蓋部材５４を被着すれば、各ブロック５（５Ａ，５Ｂ，５Ｃ，５Ｄ）は小物入れとして使用することができる。裁縫の際には、白糸、赤糸、黒糸等のように色別の多数の糸が使用され、様々な針も使用される。更に針山、ボタン、ホック等の多数の小物類が用いられるため、複数個の小物入れが用意されていることは便利である。
【００２２】
容器５２及び蓋部材５４は共に箱形状されており、容器５２及び蓋部材５４の重合部分はＮ（図７参照）で示され、かなりの量とされている。従ってブロック５同士を組み付けるときにおいて、ブロック５の容器５２から蓋部材５４が簡単に離脱することは抑制されている。従って、ブロック５同士を組み付けるときにおいて、ブロック５内に収容する小物類の収容性が確保されており、小物類が飛散することが抑えられている。
【００２３】
図９に示すように、ブロック５の容器５２は、蓋部材５４が被着可能な容器本体５５と、容器本体５５の底側つまり蓋部材５４と反対側に一体的に成形された底板部５７とで形成されている。本実施例によれば、各ブロック５（５Ａ，５Ｂ，５Ｃ，５Ｄ）は、あたかも玩具ブロックのように形成されており、隣設するブロック５同士を接合するための接合係合部６を有する。隣設するブロック５の接合係合部６同士を互いに接合することにより、複数のブロック５は玩具ブロックのごとく互いに脱着可能に接続可能とされている。隣設するブロック５の接合係合部６同士の接合を変更すれば、複数のブロック５を接合した形状を変更することができる。更に、ブロック５の接合ブロック５の接合係合部６は、ベッド部１の前記した第２接合係合部６Ｗに対しても脱着可能に接合することができる。従ってブロック５（５Ａ，５Ｂ，５Ｃ，５Ｄ）は、ミシン本体３のベッド部１の側面側及び上面側にそれぞれ脱着可能に接合することができる。
【００２４】
図５〜図１０に示すように、接合係合部６は、直方体形状のブロック５の底側の周囲を１周するように、あるいは、実質的に１周するように直線状に延設されている。接合係合部６は、直線状に延びる溝状で形成された凹部６１と、直線状に延びる突条で形成された凸部６２とで形成されている。図５は、蓋部材５４を上側に被着した横に寝かせた状態のブロック５の平面形態を上方から視認する平面図を示す。図５に示すように、ブロック５は、互いに平行な２個１組の長辺５ｘと、互いに平行な２個１組の短辺５ｙとを有する。ここで、図５に示すように、凹部６１はブロック５の一方の長辺５ｘ及び一方の短辺５ｙにおいてＬ字形態に延設されていると共に、凸部６２は凹部６１に隣設するようにブロック５の他方の長辺５ｘ及び他方の短辺５ｙにおいて逆Ｌ字形態に延設されている。
【００２５】
ここで図１０に示すように、隣設するブロック５同士を接続するときには、一方のブロック５の凸部６２は、一方のブロック５に隣設する他方のブロック５の凹部６１に嵌まって係合する。また一方のブロック５の凹部６１は、一方のブロック５に隣設する他方のブロック５の凸部６２に嵌まって係合する。
【００２６】
本実施例によれば、補助テーブルを使用しないときには、図１に示すようにブロック５をミシン本体３から外した状態で、ミシン本体３は使用される。補助テーブルを使用するときについて説明を加える。即ち、図３に示す使用形態のように、横長に寝かせた複数個（３個）のブロック５（５Ａ，５Ｂ，５Ｃ）をミシン本体３のベッド部１の手前側（使用者側）に並設状態に固定することにより、ベッド面１６を拡張させる補助テーブル７Ａを構成することができる。図３に示す補助テーブル７Ａによれば、ミシン本体３の手前側（使用者側）のテーブル面を大きくすることができる。ここで補助テーブル７Ａが構成されるとき、各ブロック５の接合係合部６（凹部６１及び凸部６２同士）は、互いに接合されて脱着可能に接合されていると共に、ベッド部１の可動ベッド部分１３の正面１３ｍ及び第２固定ベッド部分１２の正面１２ｍの第２接合係合部６Ｗに脱着可能に接合されている。なお、図４は、図３に示すミシン本体３を後方から視認した状態を示す。
【００２７】
また、図１２に示す使用形態のように、横長に寝かせた複数個（４個）のブロック５（５Ａ，５Ｂ，５Ｃ，５Ｄ）をベッド部１の手前側（使用者側）において並設状態に固定することにより、ベッド面１６を拡張させる補助テーブル７Ｂを構成することができる。図１２に示す補助テーブル７Ｂによれば、ミシン本体３の手前側においてテーブル面を大きくすることができる。ここで、補助テーブル７Ｂが構成されるとき、各ブロック５の接合係合部６（凹部６１及び凸部６２同士）は、互いに接合されて脱着可能に接合されていると共に、ベッド部１の可動ベッド部分１３の正面１３ｍ、第２固定ベッド部分１２の正面１２ｍの第２接合係合部６Ｗに脱着可能に接合されている。
【００２８】
ここで、ブロック５を横長に寝かせたときには、図１２に示すように、各ブロック５の幅Ｄ２は、ベッド部１の長さＬ１を均等分割（補助テーブル７Ｂを構成するブロック５の数に応じて均等分割）したサイズに設定されている。即ち、各ブロック５の幅Ｄ２は、ベッド部１の長さＬ１を基本的には１／４づつに均等分割したサイズに設定されている。このため４個のブロック５で補助テーブル７Ｂを形成するときには、補助テーブル７Ｂの長さＬＢ（図１２参照）はベッド部１の長さＬ１に整合（ＬＢ＝Ｌ１，ＬＢ≒Ｌ１）するように設定されており、ミシンの縫製操作性及び外観意匠が確保されている。
【００２９】
また図１３に示す使用形態のように、横長に寝かせた３個のブロック５（５Ａ，５Ｂ，５Ｃ）をベッド部１の左側に固定すると共に１個のブロック５（５Ｄ）をベッド部１の向こう側に固定することにより、ベッド部１のベッド面１６を拡張させる補助テーブル７Ｃを構成することができる。図１３に示す補助テーブル７Ｃによれば、ミシンの左側及び後側においてテーブル面を大きくすることができる。図１３に示すように補助テーブル７Ｃが構成されるとき、各ブロック５の接合係合部６（凹部６１及び凸部６２同士）は、互いに接合されて脱着可能に接合されていると共に、ベッド部１の第１固定ベッド部分１１の側面１１ｓ、可動ベッド部分１３の側面１３ｓの第２接合係合部６Ｗに脱着可能に接合されている。
【００３０】
ここで、図１３に示すようにブロック５を横長に寝かせたときには、各ブロック５の長さＬ２はミシン本体３のベッド部１の長さＬ１を均等分割（Ｌ１の１／２づつの均等分割）したサイズに設定されていると共に、各ブロック５の幅Ｄ２はベッド部１の第２固定ベッド部分１２や可動ベッド部分１３の幅Ｅ１に整合（Ｄ２＝Ｅ１，Ｄ２≒Ｅ１）するように設定されている。また図１３から理解できるように、Ｄ２×２＝Ｄ１の関係、またはＤ２×２≒Ｄ１の関係に設定されている。このため、補助テーブル７Ｂを形成するとき、ミシンの縫製操作性及び外観意匠が確保されている。
【００３１】
また、図１４に示すように、横長に寝かせた複数個（３個）のブロック５（５Ａ，５Ｂ，５Ｃ）をベッド部１の左側において並設状態に固定すると共に、１個のブロック５（５Ｄ）をベッド部１の可動ベッド部分１３の手前側（使用者側）に固定することにより、ベッド面１６を拡張させる補助テーブル７Ｄを構成することができる。図１４に示す補助テーブル７Ｄによれば、ミシンの左側及び手前側においてテーブル面を大きくすることができる。補助テーブル７Ｄを構成する各ブロック５の接合係合部６（凹部６１及び凸部６２同士）は、互いに接合されて脱着可能に接合されていると共に、ベッド部１の第１固定ベッド部分１１の第２接合係合部６Ｗ、可動ベッド部分１３の第２接合係合部６Ｗに脱着可能に接合されている。
【００３２】
なお、上記したように補助テーブル７，７Ｂ，７Ｃ，７Ｄを形成するとき、横に寝かせたブロック５の上面は、ベッド部１のベッド面１６と同一高さとされており、縫製物等の円滑な移動性を確保するようにされている。
【００３３】
以上の説明から理解できるように本実施例によれば、複数個のブロック５の接合形態を変更することにより、補助テーブル７の平面形状は複数に変更可能とされている。従って、縫製物のサイズや形態、縫製の都合、使用者の好み等に適応するように、複数個のブロック５の接合を変更することにより、補助テーブル７の平面形状を変更することができる利点が得られる。
【００３４】
更に本実施例によれば、複数のブロック５（５Ａ，５Ｂ，５Ｃ，５Ｄ）は、糸、針、はさみ等に代表される裁縫用具等を収容する小物入れとして使用することができるため、小物入れを別途設けずともよく、あるいは、仮に小物入れを設けたとしてもその数を減少させることができ、ミシン全体のコンパクト化を図ることができる。
【００３５】
また本実施例によれば、補助テーブル７，７Ｂ，７Ｃ，７Ｄを形成するとき、図３等に示すように、接合係合部６が底側になるように各ブロック５は配置される。この場合、接合係合部６の凸部６２が底側に位置するため、凸部６２に糸等がひっかからないようにすることができ、ミシンの操作性が確保されている。また本実施例によれば、補助テーブル７，７Ｂ，７Ｃ，７Ｄを形成するとき、ベッド部１を構成する第１固定ベッド部分１１、第２固定ベッド部分１２、可動ベッド部分１３は、基本的には、ブロック５に近似する直方体形状されているため、ベッド部１に複数個のブロック５に適宜連設しても、ミシンの外観意匠が確保される。
【００３６】
更に本実施例によれば、図１５及び図１６に示すように、ミシンの収容時等のような不使用時には、複数個のブロック５（５Ａ，５Ｂ，５Ｃ，５Ｄ）を縦長に立てた状態とし、ベッド部１のベッド面１６上に並設状態に載せることにより、複数個のブロック５は、ミシンカバー８を構成する形態となるように切替可能とされている。即ち、図１５に示すように、ミシンカバー８は、ベッド部１の可動ベッド部分１３の上面１３ｕ、第２固定ベッド部分１２の上面１２ｕに立てられており、これによりミシン本体３の針保持部２１を覆うことができ、針保持部２１付近への埃の進入も防止できる。このようにミシンカバー８を構成するときには、各ブロック５の接合係合部６は互いに接合されて脱着可能に接合されていると共に、ベッド部１の可動ベッド部分１３の上面１３ｕの第２接合係合部６Ｗ、第２固定ベッド部分１２の上面１２ｕの第２接合係合部６Ｗに脱着可能に接合されており、各ブロック５の離脱が抑制されている。
【００３７】
ここで、図２に示すようにブロック５を縦長に立てたとき、縦長に立てたブロック５の高さＨ２（横長に寝かせたブロック５の長さＬ２に相当）は、ベッド面１６からアーム部２の上面２４ｕまでの高さＨ３と整合（Ｈ２＝Ｈ３，Ｈ２≒Ｈ３）するように設定されている。このため図１５に示すようにブロック５（５Ａ，５Ｂ，５Ｃ，５Ｄ）でミシンカバー８を構成するとき、基本的には、ミシンカバー８の上面８ｕとミシン本体１のアーム部２の横胴部２４の上面２４ｕとを同一高さに設定することができる。この場合、図１５に示すように、箱体４もミシン本体１に挿入され、ミシンは全体として実質的に直方体形状となり、ミシンの不使用時における保管性、外観意匠を向上させることができる。
【００３８】
上記したような本実施例によれば、ミシンの使用時にはブロック５を横長な形状としてベッド部１の側面に連設させれば、ブロック５は、補助テーブル７として機能することができる。更に、ミシンの不使用時には、ブロック５を縦長な形状としてベッド部１の上面に連設させれば、ブロック５はミシンカバー８としても機能することができる。更にまた、ミシンの使用時及び不使用時に関係なく小物入れとしても機能することができ、このようにブロック５は複数の機能を備えている。なお本実施例によれば、ミシンの意匠性を高めるべく、各ブロック５は、共通の色彩が付されていても良いし、ブロック５毎に異なる色彩が付されていても良いし、１個のブロック５に複数の色彩を付しても良い。
【００３９】
（他の例）
上記した実施例によれば、ブロック５は４個設けられているが、これに限らず、３個でも、５個でも、６個、それ以外の数でも良い。その他、本発明は上記し且つ図面に示した実施例のみに限定されるものではなく、要旨を逸脱しない範囲内で適宜変更して実施できるものである。上記した記載から次の技術的思想も認識できる。
（付記項１）ベッド面をもつベッド部と前記ベッド部から上方に延設されたアーム部とをもつミシン本体と、前記ミシン本体の前記アーム部に設けられ針を保持する針保持部と、前記ベッド部の前記ベッド面に載置可能であり前記針保持部を覆うミシンカバーと具備するミシンにおいて、前記ミシンカバーは、互いに接合可能な接合係合部を有する同一または近似形状をなす複数個のブロックに分割されていることを特徴とするミシン。ブロックは補助テーブルを形成することもできる。
【００４０】
【発明の効果】
第１の様相の本発明に係るミシンによれば、補助テーブルの形状は、複数個のブロックの接合を変更することにより複数に変更可能とされている。従って、縫製物のサイズや形態、縫製の都合等に適応するように、複数個のブロックの接合を変更することにより、補助テーブルの形状を変更することができる。
【００４１】
第２の様相の本発明に係るミシンによれば、複数個のブロックの接合係合部同士を互いに接合することにより、複数のブロックは、ベッド部に連設される補助テーブルを構成することができる。更に複数のブロックのうち少なくとも１個は、小物類を収容できる収容室を有するため、糸、針、はさみ等に代表される裁縫用具等を収容する小物入れとして使用することができる。
【００４２】
第３の様相の本発明に係るミシンによれば、ミシンの使用時には、複数個のブロックの接合係合部同士を互いに接合することにより、複数のブロックは、ベッド部に連設される補助テーブルを構成する。更にミシンの収容時には、複数個のブロックの接合係合部同士の接合を変更することにより、複数のブロックは針保持部を覆うミシンカバーを構成することができ、ミシンの保管性を高めることができる。
【図面の簡単な説明】
【図１】ブロック及び箱体をミシン本体から取り外した状態を示すミシンの斜視図である。
【図２】箱体を取り外すと共に複数個のブロックをミシン本体のベッド部から離間させた位置に立てると共に接合により並設させた状態を示すミシンの斜視図である。。
【図３】ミシンの補助テーブルの一の使用形態を示す斜視図である。
【図４】図３に示すミシンを後方から視認した状態を示す斜視図である。
【図５】ブロックの平面図である。
【図６】ブロックの正面図である。
【図７】図５のＶＩＩ−ＶＩＩ線に沿って切断したブロックの断面図である。
【図８】ブロックの側面図である。
【図９】小物入れとして機能できるブロックを開けた状態を示す斜視図である。
【図１０】ブロックを横に寝かせつつ接合させた状態を示す側面図である。
【図１１】小物入れとして機能できるブロックを半ば開けた状態を示す斜視図である。
【図１２】ミシンの補助テーブルの他の使用形態を示す斜視図である。
【図１３】ミシンの補助テーブルの別の他の使用形態を示す斜視図である。
【図１４】ミシンの補助テーブルの更に別の使用形態を示す斜視図である。
【図１５】ブロックをミシンカバーとして使用しているミシンの使用形態を示す斜視図である。
【図１６】図１５に示すミシンを後方から視認した状態を示す斜視図である。
【符号の説明】
図中、１はベッド部、２はアーム部、２０は針、２１は針保持部、３はミシン本体、４は箱体、５はブロック、５０は収容室、５１は開口、５２は容器、５４は蓋部材、５５は容器本体、６は接合係合部、６１は凹部、６２は凸部、６Ｗは接合係合部、６１Ｗは凹部、６２Ｗは凸部、７，７Ｂ，７Ｃ，７Ｄは補助テーブル、８はミシンカバーを示す。
【図１】
2005013329.tif 000003
【図２】
2005013329.tif 000004
【図３】
2005013329.tif 000005
【図４】
2005013329.tif 000006
【図５】
2005013329.tif 000007
【図６】
2005013329.tif 000008
【図７】
2005013329.tif 000009
【図８】
2005013329.tif 000010
【図９】
2005013329.tif 000011
【図１０】
2005013329.tif 000012
【図１１】
2005013329.tif 000013
【図１２】
2005013329.tif 000014
【図１３】
2005013329.tif 000015
【図１４】
2005013329.tif 000016
【図１５】
2005013329.tif 000017
【図１６】
2005013329.tif 000018